(57)【要約】【課題】  版胴に刷版を取り付ける際に刷版の損傷を防止する。【解決手段】  刷版１の先端部１ａを版胴２に取り付ける際に該刷版１の後端部１ｂを保持する保持手段１０を備え、該保持手段１０は、版胴２を回転することによって刷版１に付与される引張力により刷版１の後端部１ｂを解放する。【選択図】  図１
2005138469.tif 000002
【特許請求の範囲】
【請求項１】
刷版の先端部を版胴に取り付ける際に該刷版の後端部を保持する保持手段を備え、該保持手段は、刷版の先端部を取り付けた版胴が回転することによって刷版に付与される引張力により、刷版の後端部を解放することを特徴とする刷版の取り付け補助装置。
【請求項２】
保持手段は、刷版の後端部を掛止するための掛止部が設けられた回動部材を備え、該回動部材が前記引張力で版胴側に回動することにより刷版の後端部は掛止部から解放される請求項１記載の刷版の取り付け補助装置。
【請求項３】
刷版の先端部を版胴に取り付ける際に刷版の先端部を下方から支持しながら版胴に案内する板状の刷版ガイドを備えている請求項１又は２記載の刷版の取り付け補助装置。
【発明の詳細な説明】
【技術分野】
【０００１】
本発明は、版胴に刷版を取り付ける際にその取り付け作業を補助するための補助装置に関する。
【背景技術】
【０００２】
一般に、一つの印刷作業が終了すると、その印刷作業に使用した刷版を版胴から取り外し、次の印刷作業に使用する新しい刷版を版胴に取り付ける必要がある。その刷版の版胴への取り付け作業においては刷版の先端部をまず版胴に取り付けることとなるが、作業者が一人では取り付け作業が困難であるため、別の作業者に刷版の後端部を把持してもらうこともある。このように二人以上で取り付け作業を行う代わりに、印刷機に刷版の取り付けを補助するための補助装置を備えて取り付け作業を一人で行えるようにしたものも提案されている（下記特許文献１，２，３参照）。
【特許文献１】実開平６−７９５４２号公報
【特許文献２】特開昭５７−３４９６０号公報
【特許文献３】特開２００２−２２５２３０号公報
【発明の開示】
【発明が解決しようとする課題】
【０００３】
即ち、特許文献１，２，３所載の補助装置は、刷版の後端部を蝶番等で吊下支持する構成を備えたものである。しかしながら、これらの構成では、刷版の先端部を版胴に取り付けた後に版胴を回転させて刷版を版胴に巻き付ける際に、蝶番やフックから刷版の後端部を取り外すことを忘れるおそれがあり、万一忘れた場合には今から使用しようとしている新しい刷版が損傷し使用不可となる。
【０００４】
それゆえに本発明は、上記従来の問題に鑑みてなされ、版胴に刷版を取り付ける際に刷版の損傷を防止することを課題とする。
【課題を解決するための手段】
【０００５】
本発明は、上記課題を解決すべくなされたものであり、本発明に係る刷版の取り付け補助装置は、刷版の先端部を版胴に取り付ける際に該刷版の後端部を保持する保持手段を備え、該保持手段は、刷版の先端部を取り付けた版胴が回転することによって刷版に付与される引張力により、刷版の後端部を解放することを特徴とする。
【０００６】
該構成の補助装置を用いて刷版を版胴に取り付ける場合、作業者は、まず、刷版の後端部を保持手段に保持させる。そして、その刷版の先端部を版胴に取り付けた後に版胴を回転させて版胴に刷版を巻き付けていくのであるが、その際、版胴の回転によって刷版には巻き付け方向（版胴に巻き付けた際における周方向）に沿って引張力が作用する。このように刷版に引張力が作用すると、その引張力によって保持手段は刷版の後端部を自動的に解放するので、作業者が保持手段から刷版の後端部を解放することは必要なく、従って刷版は版胴に損傷なく巻き付けられることとなる。
【０００７】
また、保持手段は、刷版の後端部を掛止するための掛止部が設けられた回動部材を備え、該回動部材が前記引張力で版胴側に回動することにより刷版の後端部は掛止部から解放されることが好ましい。この場合においては、回動部材の版胴側への回動動作によって自動的に刷版の後端部が解放されるので、簡単な構成で確実に刷版を解放することができる。
【０００８】
更に、刷版の先端部を版胴に取り付ける際に刷版の先端部を下方から支持しながら版胴に案内する刷版ガイドを備えていることが好ましい。この構成にあっては、刷版ガイドが刷版の先端部を下方から支持するので、刷版の先端部の高さが容易に定まり、その先端部がスムーズに版胴に誘導されるので、容易に先端部を版胴に取り付けることができる。しかも、刷版ガイドが板状であるので、刷版の先端部のうちの特定箇所のみが集中的に支持されるのではなく幅方向に平均して支持されるので、容易に先端部を取り付けることができるのである。尚、刷版ガイドには、刷版の巻き付け方向に沿って伸びる所定幅のガイド部材が刷版の幅方向に間隔をあけて複数並設された構成も含まれるものとする。即ち、一つの板から構成されなくてもよく、刷版の先端部を幅方向に分散して支持する構成であればよい。
【発明の効果】
【０００９】
以上のように、本発明に係る補助装置にあっては、保持手段が引張力によって自動的に刷版の後端部を解放するので刷版を版胴に巻き付ける際に刷版が損傷することを未然に防止することができる。
【発明を実施するための最良の形態】
【００１０】
以下、本発明に係る刷版の取り付け補助装置の一実施形態について図面を参酌しつつ説明する。
図１に本実施形態における補助装置の概略を示しているが、まず、その補助装置を使用して刷版１を取り付ける対象となる版胴２について概説する。該版胴２は、その外周面に刷版１を一つ巻き付けるいわゆる単胴であり、外周面の一箇所に軸線方向に沿った凹溝が形成され、該凹溝に刷版１の両端部１ａ，１ｂをそれぞれクランプするクランプ装置３が一対設けられている。即ち、各クランプ装置３はクランプ爪４とクランプ台５とで刷版１を挟持する構成であり、従って、各クランプ装置３に刷版１の両端部１ａ，１ｂをそれぞれ挿入することで版胴２の外周面に刷版１を固定することができる。該版胴２は、印刷機の外壁であるカバー６の内側に位置するので、そのカバー６に設けられた図示しない版交換口を開けることで版交換作業が行われる。図１は、その版交換口を開けて刷版１を版胴２に取り付けている途中の状態を示したものである。
【００１１】
該補助装置は、版胴２より上方に位置して刷版１の後端部１ｂを吊り下げ保持する吊り下げ保持装置１０（保持手段）と、刷版１の先端部１ａを版胴２のクランプ装置３に挿入する際に刷版１の先端部１ａをクランプ装置３に案内する刷版ガイド１１と、その先端部１ａが版胴２に取り付けられその後端部１ｂは吊り下げ保持装置１０によって保持された状態の刷版１の中途部における過度の膨らみや弛みを防止するため規制部材１２とを備えている。
【００１２】
前記吊り下げ保持装置１０は、図２に示すように、上下方向のカバー６の前面６ａに取り付けられて、刷版１の後端部１ｂをその先端（掛止部）で掛止する掛止ピン２０（回動部材）を備えている。具体的には、カバー６の前面６ａに、左右一対の固定ブロック２１がネジ２２によりネジ止めされている。該両固定ブロック２１を架橋するように回転軸２３が両固定ブロック２１に回転可能に支持されている。該回転軸２３は略水平方向即ち版胴２の軸線方向に伸びている。該回転軸２３には、丸型のピン固定カラー２４が同軸状に取り付けられており、該ピン固定カラー２４は両固定ブロック２１間に位置している。該ピン固定カラー２４に、丸棒状の前記掛止ピン２０の基端側が回転軸２３に向けて螺着されている。即ち、掛止ピン２０の軸線は、回転軸２３やピン固定カラー２４の径方向と一致している。よって、掛止ピン２０は回転軸２３と共に回転軸２３を中心として上下方向に回動する。該掛止ピン２０は、その上方に位置するストッパー２５により所定角度以上の上方への回動が阻止されている。この掛止ピン２０の角度は、略水平よりも掛止ピン２０の先端が上方を向く角度である。該ストッパー２５は左右両固定ブロック２１に固定されている。そして、掛止ピン２０は回転軸２３に装着されたバネ２６（付勢手段）によって上方側、即ちストッパー２５に当接するように付勢されている。尚、バネ２６の一端２６ａは一方の固定ブロック２１の突起２７に当接し、その他端２６ｂは、掛止ピン２０と共に回動するバネ止め板２８の孔に挿入されている。尚、一方の固定ブロック２１に設けられた突起２７はネジを固定ブロック２１に螺着することによりそのネジから形成することができる。
【００１３】
また、両固定ブロック２１は、外れ防止カバー２９を介してカバー６に取り付けられている。該外れ防止カバー２９は、左右両固定ブロック２１の上方を覆うようにカバー６から前方に略水平に伸びる天板部２９ａと、該天板部２９ａの基端から下方に延設されてカバー６に取り付けられる取り付け面部２９ｂとから、全体として略逆Ｌ字状に形成されている。尚、両固定ブロック２１はカバー６の内側からネジ止めされているが、カバー６には、横方向（版胴２の軸線方向）に沿って伸びる長孔３０が形成されており、貫通孔を有する係合板３１を長孔３０に挿入し、その係合板３１の貫通孔を通ってネジ２２を固定ブロック２１に螺着させているので、ネジ２２を緩めることで吊り下げ保持装置１０の左右方向の位置調節が自在である。尚、吊り下げ保持装置１０は版胴２の軸線方向（刷版１の幅方向）に沿って左右一対（複数）設けられている。
【００１４】
また前記刷版ガイド１１について説明すると、該刷版ガイド１１は一枚の薄板からなり、図１に示すようにその下端をクランプ装置３に差し込むことで版胴２に着脱自在に取り付けることができる。版胴２に取り付けた状態において刷版ガイド１１は版胴２から斜め上方に伸びる。従って、その刷版ガイド１１上を刷版１の先端部１ａが滑り落ちるようにしてクランプ装置３に導かれる。
【００１５】
更に、版胴２と吊り下げ保持装置１０との間に位置する規制部材１２は、二本の丸棒状の規制軸４０からなる。両規制軸４０は、共に平行であって版胴２の軸線方向に伸びており、両規制軸４０の間に刷版１を通すことで刷版１の前方への過度の弛みを防止する。尚、両規制軸４０はアーム４１に固定されていて、図１に示す矢印１０１方向にアーム４１を支軸４２周りに回動させることで両軸４０を版交換口より内側に格納できる。
【００１６】
以上のように構成された刷版１の取り付け補助装置を使用して刷版１を版胴２に取り付ける手順について説明する。
まず版交換口を開けて、開いた状態にあるクランプ爪４とクランプ台５との間に刷版ガイド１１を差し込んでクランプ装置３を閉じることなく刷版ガイド１１を片持ちに取り付ける。また、アーム４１を手前に向けて回動させ、新しい刷版１の後端部１ｂを掛止ピン２０に掛止する。通常、刷版１の後端部１ｂには、版作成時の位置決めとなる孔１ｃが幅方向に間隔をおいて複数形成されているので、その孔１ｃに掛止ピン２０を挿入するようにして刷版１の後端部１ｂを左右両掛止ピン２０に引っ掛けて刷版１を吊り下げ状態とする。尚、刷版１の後端部１ｂは外れ防止カバー２９の天板部２９ａの下方に湾曲させておく。そして、吊り下げられた刷版１の先端部１ａを両規制軸４０間に通して刷版ガイド１１上に置き、その刷版ガイド１１上を滑らせるようにしながら刷版１の先端部１ａをクランプ装置３に挿入する。刷版１の先端部１ａの挿入が完了した後、刷版ガイド１１をクランプ装置３から抜き、クランプ装置３を閉じて刷版１の先端部１ａをクランプする。そして、版胴２を図１の矢印１０２方向に回転させながら版胴２に刷版１を巻き付けていく。版胴２が回転すると、刷版１には巻き付け方向に沿って引張力が付与され、その引張力によって掛止ピン２０がバネ２６による付勢力に抗して下方に回動する（図２の矢印１００）。掛止ピン２０が所定角度下方に回動することで掛止ピン２０から刷版１の後端部１ｂが抜け落ちて解放される。刷版１の後端部１ｂが掛止ピン２０から抜けると、掛止ピン２０はバネ２６の付勢力によってストッパー２５に当接するまで上方に自動的に回動して元の通常角度位置に戻る。そして、刷版１は版胴２の回転と共に版胴２に巻き付けられていくが、その際、刷版１は両規制軸４０の間を通っているので過度の下方への弛みも防止される。所定角度の回転が終了した時点で版胴２を手動あるいは自動で停止させ、刷版１の後端部１ｂを他方のクランプ装置３にクランプさせる等して刷版１の取り付けが完了する。
【００１７】
このように版胴２の回転によって付与される引張力によって掛止ピン２０が自動的に下方に回動することによって刷版１の後端部１ｂの掛止状態が自動的に解除されてその後端部１ｂが解放されるので、作業者が刷版１の後端部１ｂを解放し忘れるということがなく、刷版１の損傷を未然に防止することができる。しかも、刷版１の後端部１ｂの孔１ｃに掛止ピン２０を通して掛止するという簡単な作業で済み、吊り下げ保持装置１０の構造も簡素にできる。しかも、両掛止ピン２０によって刷版１を吊り下げるので刷版１を傾くことなく吊り下げることができる。尚、本発明の補助装置は、ポリエステル等のように軟らかい刷版を用いる場合に特に有効である。
【図面の簡単な説明】
【００１８】
【図１】本発明の一実施形態の補助装置を示す概略正面図。
【図２】同装置の要部拡大断面図。
【符号の説明】
【００１９】
１…刷版、１ａ…先端部、１ｂ…後端部、２…版胴、３…クランプ装置、４…クランプ爪、５…クランプ台、６…カバー、１０…吊り下げ保持装置（保持手段）、１１…刷版ガイド、１２…規制部材、２０…掛止ピン（掛止部、回動部材）、２１…固定ブロック、２３…回転軸、２４…ピン固定カラー、２５…ストッパー、２６…バネ
【図１】
2005138469.tif 000003
【図２】
2005138469.tif 000004